【手続補正書】
【提出日】平成17年11月8日(2005.11.8)
【手続補正１】
【補正対象書類名】明細書
【補正対象項目名】発明の名称
【補正方法】変更
【補正の内容】
【発明の名称】自動網目合わせによるフォントの装飾方法と装飾装置、及び画像処理方法と画像処理装置
【手続補正２】
【補正対象書類名】明細書
【補正対象項目名】特許請求の範囲
【補正方法】変更
【補正の内容】
【特許請求の範囲】
【請求項１】
オブジェクトの輪郭内部における芸術的効果の制作方法であって、
前記輪郭の内部領域の全面にわたって網目を生成する生成工程と、
前記網目から一連の領域を形成する工程と、
前記一連の領域のそれぞれについて、前記領域を覆うように、所定の一連のタイル形状のひとつを歪め、前記タイル形状は一連の辺部分を有し、前記一連のタイル形状のひとつは、その辺部分に沿って隣接する前記タイルの一つ一つと、審美的に快適な感覚において、実質的に調和するように選択される工程と
を含むことを特徴とする方法。
【請求項２】
請求項１の方法であって、前記芸術的効果はケルト風の編み細工のデザインを含むことを特徴とする方法。
【請求項３】
請求項１または２に記載の方法であって、前記オブジェクトの輪郭はフォント文字を含むことを特徴とする方法。
【請求項４】
請求項１または２に記載の方法であって、前記タイルは実質的にロープの断片を表す曲線を含むことを特徴とする方法。
【請求項５】
請求項４に記載の方法であって、前記審美的に快適な感覚は、実質的にロープの断片の位置と太さとが前記タイルの辺の沿って調和することを含むことを特徴とする方法。
【請求項６】
請求項４または５に記載の方法であって、前記ロープの断片は複数のグループに分けられた実質的に平行なロープの断片を含むことを特徴とする方法。
【請求項７】
請求項１に記載の方法であって、前記生成工程は、
（ａ）前記輪郭の周囲の一連の境界点を制作し、
（ｂ）前記境界点の各々から波面(wave front)を得、前記波面は、前記境界点の対応するひとつから所定距離離れた、前記輪郭内の前記境界点の内部にある一連の内部点を含み、
（ｃ）複数の内部点が所定距離内にある前記内部点を結合し、
（ｄ）前記内部点を新たな波面として使用し、前記内部領域がほとんど互いに等距離にある点により覆われるまで、ステップ（ｂ）及び（ｃ）を前記波面の点に繰返し適用することを特徴とする方法。
【請求項８】
請求項７に記載の方法であって、前記点の各々は通常のベクタを含み、前記内部点は実質的に前記通常のベクタに沿って、実質的に前記通常のベクタに対して直角に制作されることを特徴とする方法。
【請求項９】
請求項７または８に記載の方法であって、前記所定の距離は、利用者が設定可能なパラメータによって決定されることを特徴とする方法。
【請求項１０】
請求項１に記載の方法であって、前記一連の領域を前記網目から形成する工程は、前記網点のドローネーの三角網(Delaunay triangulation)の遂行を含むことを特徴とする方法。
【請求項１１】
請求項１０に記載の方法であって、前記一連の領域を前記網目から形成する工程はさらに、一連の残りの三角形に加えて前記ドローネーの三角網から、実質的に直角な角部と同じ長さの辺とを有する一連の四角形要素を形成することを特徴とする方法。
【請求項１２】
請求項１に記載の方法であって、前記輪郭の内部領域の全面にわたって網目を生成する工程はさらに、前記網目点を乱すことを含むことを特徴とする方法。
【請求項１３】
請求項４に記載の方法であって、前記タイル内の前記ロープの断片に対して不透明度のマッピングを適用する工程をさらに含むことを特徴とする方法。
【請求項１４】
請求項１３に記載の方法であって、前記不透明度のマッピングは前記ロープの断片の側方に向けての混合を含むことを特徴とする方法。
【請求項１５】
利用者の入力に応じてタイルの集合を供給する工程と、
輪郭の内部に複数の領域を生成する生成工程と、
前記各領域について、前記タイルの集合からひとつのタイルを選択する選択工程と、
前記選択されたタイルを前記領域にマッピングし、マッピングされたタイルを描写する描写工程とを有し、
前記選択工程は、隣接する領域から選択されたタイルと調和するようにタイルを選択することを特徴とする画像処理方法。
【請求項１６】
請求項１５の画像処理方法であって、前記芸術的効果はケルト風の編み細工のデザインを含むことを特徴とする画像処理方法。
【請求項１７】
請求項１５または１６に記載の画像処理方法であって、前記オブジェクトの輪郭はフォント文字を含むことを特徴とする画像処理方法。
【請求項１８】
請求項１５または１６に記載の画像処理方法であって、前記タイルは実質的にロープの断片を表す曲線を含むことを特徴とする画像処理方法。
【請求項１９】
請求項１８に記載の画像処理方法であって、前記審美的に快適な感覚は、実質的にロープの断片の位置と太さとが前記タイルの辺に沿って調和することを含むことを特徴とする画像処理方法。
【請求項２０】
請求項１８または１９に記載の画像処理方法であって、前記ロープの断片は複数のグループに分けられた実質的に平行なロープの断片を含むことを特徴とする画像処理方法。
【請求項２１】
請求項１５に記載の画像処理方法であって、前記一連の領域を生成する工程は、前記輪郭の内部領域の全面にわたって網目を生成する副工程と、前記網目から一連の前記領域を形成する副工程を含むことを特徴とする画像処理方法。
【請求項２２】
請求項１５に記載の画像処理方法であって、前記網目の生成工程は、
（ａ）前記輪郭の周囲の一連の境界点を制作し、
（ｂ）前記境界点の各々から波面を得、前記波面は、前記境界点の対応するひとつから所定距離離れた、前記輪郭内の前記境界点の内部にある一連の内部点を含み、
（ｃ）複数の内部点が所定距離内にある前記内部点を結合し、
（ｄ）前記内部点を新たな波面として使用し、前記内部領域がほとんど互いに等距離にある点により覆われるまで、ステップ（ｂ）及び（ｃ）を前記波面の点に繰返し適用することを特徴とする画像処理方法。
【請求項２３】
請求項２２に記載の画像処理方法であって、前記点の各々は通常のベクタを含み、前記内部点は実質的に前記通常のベクタに沿って、実質的に前記通常のベクタに対して直角に制作されることを特徴とする画像処理方法。
【請求項２４】
請求項２２または２３に記載の画像処理方法であって、前記所定の距離は、利用者が設定可能なパラメータによって決定されることを特徴とする方法。
【請求項２５】
請求項２１に記載の画像処理方法であって、一連の領域を前記網目から形成する副工程は、前記網点のドローネーの三角網(Delaunay triangulation)の遂行を含むことを特徴とする画像処理方法。
【請求項２６】
請求項２５に記載の画像処理方法であって、一連の領域を前記網目から形成する副工程はさらに、一連の残りの三角形に加えて前記ドローネーの三角網から、実質的に直角な角部と同じ長さの辺とを有する一連の四角形要素を形成することを特徴とする画像処理方法。
【請求項２７】
請求項２１に記載の画像処理方法であって、前記輪郭の内部領域の全面にわたって網目を生成する副工程はさらに、前記網目点を乱すことを含むことを特徴とする画像処理方法。
【請求項２８】
請求項１８に記載の画像処理方法であって、前記タイル内の前記ロープの断片に対して不透明度のマッピングを適用する工程をさらに含むことを特徴とする画像処理方法。
【請求項２９】
請求項１３に記載の画像処理方法であって、前記不透明度のマッピングは前記ロープの断片の側方に向けての混合を含むことを特徴とする画像処理方法。
【請求項３０】
オブジェクトの輪郭内部における芸術的効果の制作装置であって、
前記輪郭の内部領域の全面にわたって網目を生成する生成手段と、
前記網目から一連の領域を形成する手段と、
前記一連の領域のそれぞれについて、前記領域を覆うように、所定の一連のタイル形状のひとつを歪め、前記タイル形状は一連の辺部分を有し、前記一連のタイル形状のひとつは、その辺部分に沿って隣接する前記タイルの一つ一つと、審美的に快適な感覚において、実質的に調和するように選択される手段と
を含むことを特徴とする装置。
【請求項３１】
利用者の入力に応じてタイルの集合を供給する手段と、
輪郭の内部に複数の領域を生成する生成手段と、
前記各領域について、前記タイルの集合からひとつのタイルを選択する選択手段と、
前記選択されたタイルを前記領域にマッピングし、マッピングされたタイルを描写する手段とを有し、
前記選択手段は、隣接する領域から選択されたタイルと調和するようにタイルを選択することを特徴とする画像処理装置。
【請求項３２】
オブジェクトの輪郭内部における芸術的効果を制作するためのコンピュータプログラムを記録したコンピュータ可読媒体を含むコンピュータプログラム製品であって、
該コンピュータプログラム製品は、前記輪郭の内部領域の全面にわたって網目を生成する生成手段と、
前記網目から一連の領域を形成する手段と、
前記一連の領域のそれぞれについて、前記領域を覆うように、所定の一連のタイル形状のひとつを歪め、前記タイル形状は一連の辺部分を有し、前記一連のタイル形状のひとつは、その辺部分に沿って隣接する前記タイルの一つ一つと、審美的に快適な感覚において、実質的に調和するように選択される手段と
を含むことを特徴とする、コンピュータプログラムを記録したコンピュータ可読媒体を含むコンピュータプログラム製品。
【請求項３３】
利用者の入力に応じてタイルの集合を供給する工程と、
輪郭の内部領域の全面にわたって網目を生成する生成工程と、
前記各領域について、前記タイルの集合からひとつのタイルを選択する選択工程と、
前記選択されたタイルを前記領域にマッピングする工程と、
マッピングされたタイルを描写する工程とをコンピュータにより実行させるプログラムを記憶したコンピュータ可読の記憶媒体であって、
前記選択手段は、隣接する領域から選択されたタイルと調和するようにタイルを選択することを特徴とする記憶媒体。
【手続補正３】
【補正対象書類名】明細書
【補正対象項目名】００１１
【補正方法】変更
【補正の内容】
【００１１】
本発明の第２の側面によれば、利用者の入力に応じてタイルの集合を供給する工程と、輪郭の内部に複数の領域を生成する生成工程と、前記各領域について、前記タイルの集合からひとつのタイルを選択する選択工程と、前記選択されたタイルを前記領域にマッピングし、マッピングされたタイルを描写する描写工程とを有し、前記選択工程は、隣接する領域から選択されたタイルと調和するようにタイルを選択する画像処理方法が提供される。
【手続補正４】
【補正対象書類名】明細書
【補正対象項目名】００１３
【補正方法】変更
【補正の内容】
【００１３】
本発明の第４の側面によれば、利用者の入力に応じてタイルの集合を供給する手段と、輪郭の内部に複数の領域を生成する生成手段と、前記各領域について、前記タイルの集合からひとつのタイルを選択する選択手段と、前記選択されたタイルを前記領域にマッピングし、マッピングされたタイルを描写する手段とを有し、前記選択手段は、隣接する領域から選択されたタイルと調和するようにタイルを選択することを特徴とする画像処理装置が提供される。
【手続補正５】
【補正対象書類名】明細書
【補正対象項目名】００１５
【補正方法】変更
【補正の内容】
【００１５】
本発明の第６の側面によれば、利用者の入力に応じてタイルの集合を供給する工程と、輪郭の内部領域の全面にわたって網目を生成する生成工程と、前記各領域について、前記タイルの集合からひとつのタイルを選択する選択工程と、前記選択されたタイルを前記領域にマッピングする工程と、マッピングされたタイルを描写する工程とをコンピュータにより実行させるプログラムを記憶したコンピュータ可読の記憶媒体であって、前記選択手段は、隣接する領域から選択されたタイルと調和するようにタイルを選択することを特徴とする記憶媒体が提供される。